(57)【要約】【課題】  使用状況に応じたオートパワーオフ時間設定をより適切に行うオートパワーオフ制御方式を提供する。【解決手段】  無線インターフェースを有するプリンタにおいて、パワーオン後に無線インターフェースを介して機器が使用された場合にオートパワーオフ時間設定を延長する。印刷動作、キー操作などのオートパワーオフリセット条件が発生した場合、ハード的にホストに接続されているなど機器が使用可能な状態におかれている場合、あるいは無線インターフェースアクセスが有った場合はノーマルに、そうでない場合はショートに設定する。 【選択図】  図２
2007055087.tif 000002
【特許請求の範囲】
【請求項１】
バッテリー動作可能、かつオートパワーオフ機能、無線インターフェースを有するプリンタにおいて、電源種別検出手段、無線インターフェースアクセス有無保持手段、オートパワーオフ時間設定手段を有し、オートパワーオフ時間設定手段は、電源種別がバッテリーかつ無線インターフェースアクセス有りの場合、オートパワーオフ時間設定手段はアクセス無しの場合よりも長い時間設定を行う事を特徴とするオートパワーオフ制御方式。
【請求項２】
ホスト装置と有線接続するホスト有線インターフェース手段、及び、もしくはイメージデータを格納したメモリーカードを装着するメモリーカード読み取り手段、有線ホストインターフェース接続有無、およびメモリーカード装着有無を検出し、いずれの有りも検出できない場合に正常動作不可とする正常動作不可判定手段を有し、電源種別がバッテリー、かつ正常動作可の場合は、オートパワーオフ時間設定手段は第１の設定時間に設定し、電源種別がバッテリー、かつ正常動作不可、かつ無線インターフェースアクセス無しの場合、オートパワーオフ時間設定手段は第１の設定時間よりも短い第２の設定時間に設定し、電源種別がバッテリー、かつ正常動作不可、かつ無線インターフェースアクセス有りの場合、オートパワーオフ時間設定手段は第１の設定時間に設定することを特徴とする請求項１に記載のオートパワーオフ制御方式。
【発明の詳細な説明】
【技術分野】
【０００１】
本発明は無線インターフェースを有するプリンタにおけるオートパワーオフ時間制御方式に関するものである。
【背景技術】
【０００２】
プリンタの不要な電力消費を抑制するため、オートパワーオフ機能がある。これは非動作状態、すなわち、ホストからコマンド等が転送されてこない時間、もしくはユーザー操作が行われない時間を計測し、計測値が所定の時間となった場合にパワーオフとするもので、特にバッテリー動作するプリンタにとっては有効なものであった。
【０００３】
この動作アルゴリズム例を第３図に示す。機器のパワーオン(S３０１)後、初期化処理(S３０２)を行い、通常の動作状態に入る。ここでオートパワーオフの時間を設定し動作を開始する(S３０３)。ここで設定されるオートパワーオフ時間はユーザーがあらかじめ設定した値など所定の値である。次にオートパワーオフ時間が経過したかを計測、判定し(S３０４)、もし経過していればシャットダウン処理(S３０５)を行いパワーオフする(S３０６)。オートパワーオフ時間が経過していないならば、印刷動作、設定動作などの開始を判定し(S３０７)、開始でないならばオートパワーオフ時間経過の計測、判定(S３０４)へ戻る。処理が開始したならばオートパワーオフ動作を停止するとともに経過時間の計測カウンタをクリアし(S３０８)、プリンタ処理(S３０９)を行う。処理完了後は再びオートパワーオフの時間を設定し動作を開始する(S３０３)。
【特許文献１】特開２００３−９９１６０号公報
【発明の開示】
【発明が解決しようとする課題】
【０００４】
しかしながら、上記構成においてはユーザーの意図に反して、オートパワーオフが動作しシャットダウンしてしまう場合がある。特にバッテリー動作可能な可搬型プリンタを、出先などでバッテリーで動作させる場合において、バッテリー消費を抑えるためにオートパワーオフ時間を短く設定し、かつ無線インターフェースを介して動作させる場合など、プリンタ本体を操作することなく動作させるため、ユーザーがデジタルカメラなど無線ホスト操作中にプリンタのオートパワーオフが動作してパワーオフしてしまう問題があった。
【０００５】
本出願に係る第１の発明は、バッテリー状態で無線インターフェースで使用する場合において、ユーザーの意図に反してパワーオフする問題を軽減させる事を目的とする。
【０００６】
本出願に係る第２の発明は、バッテリー状態で無線インターフェースで使用する場合において、バッテリーの消費電力節約の効果を高め、かつユーザーの意図に反してパワーオフする問題を軽減させる事を目的とする。
【課題を解決するための手段】
【０００７】
上記目的を達成するために、本出願に係る第１の発明は、電源種別検出手段、無線インターフェースアクセス有無保持手段、オートパワーオフ時間設定手段を有し、オートパワーオフ時間設定手段は、電源種別、無線インターフェースアクセス有無に応じてオートパワーオフ時間設定を行う事を特徴とする。
【０００８】
上記構成において、オートパワーオフ時間設定手段はバッテリー動作、かつ無線インターフェースアクセス有りの場合は無しの場合よりも長い時間設定を行う。
【０００９】
上記目的を達成するため、本出願に係る第２の発明は、ホスト装置と有線接続するホスト有線インターフェース手段、及び、もしくはイメージデータを格納したメモリーカードを装着するメモリーカード読み取り手段、正常動作不可判定手段、オートパワーオフ時間設定手段を有することを特徴とする。
【００１０】
上記構成において、正常動作不可判定手段は有線ホストインターフェース接続有無、およびメモリーカード装着有無を検出し、いずれの有りも検出できない場合に正常動作不可と判定し、オートパワーオフ時間設定手段は電源種別がバッテリー、かつ正常動作可の場合は第１の設定時間に設定し、電源種別がバッテリー、かつ正常動作不可、かつ無線インターフェースアクセス無しの場合は第１の設定時間よりも短い第２の設定時間に設定し、電源種別がバッテリー、かつ正常動作不可、かつ無線インターフェースアクセス有りの場合、オートパワーオフ時間設定手段は第１の設定時間に設定する。
【発明の効果】
【００１１】
以上説明したように、本出願に係る第１の発明によれば、バッテリー状態で無線インターフェースで使用する場合において、ユーザーの意図に反してパワーオフする問題を軽減させる事が可能となる。
【００１２】
以上説明したように、本出願に係る第２の発明によれば、バッテリー状態で無線インターフェースで使用する場合において、バッテリーの消費電力節約の効果を高め、かつユーザーの意図に反してパワーオフする問題を軽減させる事が可能となる。
【発明を実施するための最良の形態】
【００１３】
本発明の実施例を図１に示す。１０１はプリンタ、１０２はプリンタ１０１と有線インターフェースで接続するPC、１０３はプリンタ１０１と無線インターフェースで接続する無線デバイス、１０４は印刷するイメージデータを格納したメモリーカードである。次にプリンタ１０１の構成概要について説明する。１０５はPC １０２などと接続する有線インターフェース、１０６は無線デバイス１０３と接続する無線インターフェース、１０７はメモリーカード１０４を装着するメモリーカードコントローラ、１０８は処理を行うCPU、１０９はCPU １０８の処理プログラム、データを格納するROM、１１０はCPU １０８の処理データ等を格納するRAM、１１１はユーザー操作による入力キー、表示LCD、 LED等を含むユーザーインターフェース、１１２はプリンタエンジン、１１３はプリンタエンジン１１２が印刷を行う用紙、１１４は電源、１１５はバッテリー、１１６は各機能ブロックを接続するバスである。
【００１４】
プリンタ１０１はAC、バッテリー電源いずれかで動作する。PC １０２、無線デバイス１０３の指示で印刷、設定を行う。またユーザーインターフェース１１１の操作に従い、メモリーカード１０４に格納したデータ印刷を行う。
【００１５】
つぎに動作例について図２で説明する。機器のパワーオン(S２０１)後、初期化処理(S２０２)を行い、無線インターフェースからのアクセス履歴を無しに設定(S２０３)した後、通常の動作状態に入る。通常動作では電源種別検出(S２０４)、メモリーカード１０４装着有無検出(S２０５)、有線インターフェース装着有無検出(S２０６)を行う、次に AC動作か否かを判定し(S２０７)、AC動作であればオートパワーオフ時間=TNormalに設定し(S２０８)、オートパワーオフ動作を開始(S２０９)する。次にオートパワーオフ時間経過を計測、判定(S２１０)し、経過していればシャットダウン処理(S２１１)を行い、電源１１４を操作してパワーオフ(S２１２)する。
【００１６】
AC動作の判定(S２０７)で、ACではない、すなわちバッテリー動作を判定した場合、メモリーカード装着有無、有線インターフェース接続有無を判定(S２１３)し、いずれかが有りの場合はプリンタ１０１が正常動作可能と判定し、オートパワーオフ時間=TNormalに設定する(S２０８)。メモリーカード装着、有線インターフェース接続の両方とも無しの場合、無線インターフェースのアクセス履歴が有れば、ユーザーは無線インターフェースで使用する可能性有りと判断し、オートパワーオフ時間=TNormalに設定する(S２０８)。メモリーカード装着、有線インターフェース接続の両方とも無しで、無線インターフェースのアクセス履歴も無ければ、正常な使用可能状態ではなく、ユーザーは無線インターフェースで使用する意図も無いと判断し、オートパワーオフ時間=TShortに設定する(S２１５)。ここで TNormal>TShortである。
【００１７】
オートパワーオフ時間が未経過の場合、処理動作開始を判定し(S２１６)、開始でなければ再びオートパワーオフ時間経過計測、判定(S２１０)へ戻る。処理動作を開始するとオートパワーオフ動作を停止し、経過時間の計測カウンタをクリアし(S２１７)、処理の開始が無線インターフェースアクセスによるものかを判定し(S２１８)、無線インターフェースアクセスでなければそのままプリンタ処理(S２２０)を行う。無線インターフェースによるものであれば、無線インターフェースのアクセス履歴を有りとし(S２１９)、プリンタ処理(S２２０)を行う。プリンタ処理(S２２０)終了後は再び電源種別検出(S２０４)へもどり、上述した一連の状態判定、オートパワーオフ時間選択の後、オートパワーオフ機能を再開する。
【００１８】
以上述べたように本構成例によれば、メモリーカードが非装着、かつPC非接続の状態で無線インターフェースを介してプリンタを使用する場合においても、意図に反してオートパワーオフが動作する問題を軽減することが可能となる。
【図面の簡単な説明】
【００１９】
【図１】本発明の実施例におけるハードウェアの構成図を示す図である。
【図２】本発明の実施例における動作の概略を示すフローチャートである。
【図３】従来例の動作の概略を示すフローチャートである。
【符号の説明】
【００２０】
１０１  プリンタ
１０２  PC
１０３  無線デバイス
１０４  メモリーカード
１０５  有線インターフェース
１０６  無線インターフェース
１０７  メモリーカードコントローラ
１０８  CPU
１０９  ROM
１１０  RAM
１１１  ユーザーインターフェース
１１２  プリンタエンジン
１１３  用紙
１１４  電源
１１５  バッテリー
１１６  バス
【図１】
2007055087.tif 000003
【図２】
2007055087.tif 000004
【図３】
2007055087.tif 000005